(57)【特許請求の範囲】
【請求項１】
空気調和機本体を上下段に仕切り、上段に、熱交換器が配置された熱交換室を設けると共に、下段に、ガスエンジンと、該ガスエンジンで駆動される圧縮機と、前記ガスエンジンで駆動される発電機と、が配置された機械室を設けた空気調和機において、
前記機械室の前面側であって、前記圧縮機の位置する側に、前記圧縮機を制御するための電子部品を収納した制御ボックスを配置すると共に、前記発電機の位置する側に、前記発電機を制御するための電子部品を収納したインバータボックスを配置し、
前記機械室の前面を塞ぐ前面パネルを、前記制御ボックスの位置する側の前方を塞ぐための制御ボックス側パネルと、前記インバータボックスの位置する側の前方を塞ぐためのインバータボックス側パネルと、に分割し、
前記熱交換室と、前記機械室とを仕切る仕切板に、前記機械室から前記熱交換室へと空気が通過するための一対の通気口を設け、１の前記通気口の下方に前記制御ボックスを配置し、他の前記通気口の下方に前記インバータボックスを配置し、各ボックスの上面に形成された換気孔を、対応する前記通気口の下方に位置させ、
前記制御ボックス側パネルにおける前記制御ボックスの下部に対応する位置、及び、前記インバータボックス側パネルにおける前記インバータボックスの下部に対応する位置に、前記制御ボックス及び前記インバータボックスに室外空気を取り込むための空気取り込み孔を形成し、
室外空気が、各パネルに形成された各前記空気取り込み孔を介して各ボックスに取り込まれた後、各前記換気孔、各前記通気口を介して前記熱交換室へ排出される構成とした
ことを特徴とする空気調和機。
【請求項２】
前記機械室の前面の中央に支柱を設け、該支柱の両側に前記制御ボックス、及び、前記インバータボックスを振り分けて配置した
ことを特徴とする請求項１に記載の空気調和機。
【請求項３】
前記機械室において前記制御ボックスが配置された側に、前記制御ボックスが収納する電子部品によって制御される、冷凍サイクルに組み込まれた電動弁を配置した
ことを特徴とする請求項２に記載の空気調和機。
【発明の詳細な説明】
【技術分野】
【０００１】
本発明は、ガスエンジンで圧縮機を駆動すると共に、このガスエンジンで発電機を駆動し、発電を行う空気調和機に関する。
【背景技術】
【０００２】
従来、ガスエンジンと、このガスエンジンで駆動される発電機とを備え、空調運転時に発電機によって発電を行う空気調和機が知られている（例えば、特許文献１参照）。また、ガスエンジンと、このガスエンジンで駆動される圧縮機と、この圧縮機に接続される熱交換器とを備え、熱交換器を空気調和機本体の上段に設けられた熱交換室に配置すると共に、ガスエンジン及び圧縮機を空気調和機本体の下段に設けられた機械室に配置した空気調和機が知られている（例えば、特許文献２参照）。
【特許文献１】特許第３１７７３３９号公報
【特許文献２】特許第３７３２９９１号公報
【発明の開示】
【発明が解決しようとする課題】
【０００３】
このような空気調和機では、空気調和機を制御するための電気制御部品が収納された電装ボックスと、発電した電力を制御するためのインバータ装置等が収納されたインバータボックスとは、別々に設ける必要がある。そして、これら電装ボックスやインバータボックスの内部には、パワーＩＣ等の発熱量の大きい電気部品が収納されているため、高いメンテナンス性が求められる。
【０００４】
本発明は、上述した事情に鑑みてなされたものであり、メンテナンス性を向上した空気調和機を提供することを目的とする。
【課題を解決するための手段】
【０００５】
上記目的を達成するために、本発明は、空気調和機本体を上下段に仕切り、上段に、熱交換器が配置された熱交換室を設けると共に、下段に、ガスエンジンと、該ガスエンジンで駆動される圧縮機と、前記ガスエンジンで駆動される発電機と、が配置された機械室を設けた空気調和機において、前記機械室の前面側であって、前記圧縮機の位置する側に、前記圧縮機を制御するための電子部品を収納した制御ボックスを配置すると共に、前記発電機の位置する側に、前記発電機を制御するための電子部品を収納したインバータボックスを配置し、前記機械室の前面を塞ぐ前面パネルを、前記制御ボックスの位置する側の前方を塞ぐための制御ボックス側パネルと、前記インバータボックスの位置する側の前方を塞ぐためのインバータボックス側パネルと、に分割し、前記熱交換室と、前記機械室とを仕切る仕切板に、前記機械室から前記熱交換室へと空気が通過するための一対の通気口を設け、１の前記通気口の下方に前記制御ボックスを配置し、他の前記通気口の下方に前記インバータボックスを配置し、各ボックスの上面に形成された換気孔を、対応する前記通気口の下方に位置させ、前記制御ボックス側パネルにおける前記制御ボックスの下部に対応する位置、及び、前記インバータボックス側パネルにおける前記インバータボックスの下部に対応する位置に、前記制御ボックス及び前記インバータボックスに室外空気を取り込むための空気取り込み孔を形成し、室外空気が、各パネルに形成された各前記空気取り込み孔を介して各ボックスに取り込まれた後、各前記換気孔、各前記通気口を介して前記熱交換室へ排出される構成としたことを特徴とする。
【０００６】
ここで、上記発明の空気調和機において、前記機械室の前面の中央に支柱を設け、該支柱の両側に前記制御ボックス、及び、前記インバータボックスを振り分けて配置するようにしてもよい。
また、上記発明の空気調和機において前記機械室において、前記制御ボックスが配置された側に、前記制御ボックスが収納する電子部品によって制御される、冷凍サイクルに組み込まれた電動弁を配置するようにしてもよい。
【発明の効果】
【０００７】
本発明によれば、機械室において、圧縮機の近傍に、この圧縮機を制御するための電子部品を収納した制御ボックスを配置すると共に、発電機の近傍に、この発電機を制御するための電子部品を収納したインバータボックスを配置するため、制御ボックス及びインバータボックスと、圧縮機及び発電機との物理的な距離が短くなり、これらボックスと圧縮機及び発電機との間の配線等が単純化し、メンテナンス性の向上を図ることができる。さらに、制御ボックス及びインバータボックスを共に、機械室に配置したため、例えば、インバータボックスと、このインバータボックスに接続された発電機とを同時にメンテナンスする必要が生じた場合、熱交換室に設けられた外装パネルを取り外すことなく、機械室に設けられた外装パネルを取り外すことによって、インバータボックス及び発電機を共に露出し、これらのメンテナンスを開始することができるため、作業が単純化し、かつ、作業にかかる時間を短縮することができ、メンテナンス性の向上を図ることができる。
【発明を実施するための最良の形態】
【０００８】
以下、本発明の一実施形態を添付の図面を参照して説明する。なお、本実施の形態において説明する室外ユニット（空気調和機）は、ガスエンジンによって圧縮機及び発電機を駆動して、この発電機で発電した電力をインバータによって変換して室外ユニット及び他の設備へ供給することができるガスヒートポンプ（ＧＨＰ）型空気調和機に使用するものである。
【０００９】
図１は、本発明の実施の形態に係る室外ユニット１（空気調和機）の正面図である。図２は、室外ユニット１の側面を構成する各パネルを取り外した状態の室外ユニット１の斜視図である。図３は、室外ユニット１の正面図であり、図４は、図３の室外ユニット１において制御ボックス１４を取り外した状態の室外ユニット１の正面図である。また、図５は、室外ユニット１の背面図、図６は、左側面図、図７は、右側面図である。
なお、図４、図６及び図７は、後述する熱交換器９を取り付けた状態の室外ユニット１である。
【００１０】
室外ユニット１は、図１に示すように、略直方体形状に形成され、室外ユニット１の外側部分を構成する空気調和機本体２を備えており、この空気調和機本体２は、空気調和機本体２の各辺に対応する部分を構成するフレーム３（図２）と、このフレーム３に固定され、室外ユニット１の側面を構成する複数のパネルと、を備えている。
【００１１】
フレーム３は、図２に示すように、室外ユニット１の高さ方向におけるほぼ中央の位置に設けられた、水平方向に延びる横フレーム３ａを備え、この横フレーム３ａには、略水平に延びる仕切り板５が固定されており、この仕切り板５によって空気調和機本体２の内部が上下段に仕切られている。
仕切り板５で仕切られた空気調和機本体２の上段には、熱交換器９（図１）が配置された熱交換室５０が形成されており、下段には、後述するガスエンジン１１、発電機１２、及び、圧縮機１３が配置された機械室６０が形成されている。この仕切り板５は、後述する送風機８等を介して熱交換室５０内に雨水等が入り込んだ場合でも、この雨水等が機械室６０に入り込まないよう、両室を隙間無く仕切っている。
以下、熱交換室５０及び機械室６０の構成について詳述する。
【００１２】
先ず、熱交換室５０について説明する。
熱交換室５０は、空気と熱交換器９（図１）との間で熱交換を行う部屋であり、熱交換器９の他、外部から空気を取り込むための送風機８を備えている。この送風機８は、図２に示すように、熱交換室５０の上面に並べて配設されており、熱交換器９を介して、室外ユニット１の外側の空気を熱交換室５０内に取り込むことによって、熱交換器９と空気との間で熱交換を行った後、この空気を熱交換室５０から排出する。
また、熱交換室５０の下面を構成する仕切り板５には、図２及び図３に示すように、熱交換室５０と機械室６０とを繋ぐ２つの通気口６が室外ユニット１の幅方向に間隔を開けて設けられており、この通気口６を介して、機械室６０から熱交換室５０へと空気が移動できる構成となっている。この構成のため、上述した送風機８の駆動時には、この通気口６を介して、機械室６０側の空気が熱交換室５０へと吸い込まれることにより、機械室６０から熱交換室５０へと向かう空気の流れが発生する。
また、通気口６には、熱交換室５０側から機械室６０に雨水等が入り込まないように、屋根部６ａがそれぞれ設けられており、機械室６０側の空気は、図３に示す矢印７の経路を通って熱交換室５０へ移動する構成となっている。
【００１３】
次いで、機械室６０について説明する。
図８は、機械室６０を上側から見た図である。なお、図８において、下側が正面側となる。
機械室６０の前面の中央には、図２〜図４に示すように、上端が横フレーム３ａの略中央に固定され、上下方向に延出した縦フレーム３ｂが設けられている。この縦フレーム３ｂは、空気調和機本体２の剛性を向上する機能を有すると共に、後述する制御ボックス１４や、インバータボックス１５を強固に支持する支持部材としての機能を有している。なお、以下の説明では、図２〜図５に示すように、機械室６０の内部の空間であって、この縦フレーム３ｂを境として正面左側に形成された空間を、機械室左部６０Ｌと称し、正面視右側に形成された空間を、機械室右部６０Ｒと称することとする（なお、図５は、背面図であるため、図５中右側に機械室左部６０Ｌが形成され、図５中左側に機械室右部６０Ｒが形成されている。）。
【００１４】
機械室６０の前面には、図１及び図２に示すように、機械室６０の前面を塞ぐ前面パネル４がねじ等を介して着脱自在（開閉自在）に取り付けられる。この前面パネル４は、図１及び図２に示すように、機械室左部６０Ｌの前面を塞ぐ態様でフレーム３に取り付けられる制御ボックス側パネル４Ｌと、機械室右部６０Ｒの前面を塞ぐ態様でフレーム３に取り付けられるインバータボックス側パネル４Ｒと、に分割されている。これら制御ボックス側パネル４Ｌ及びインバータボックス側パネル４Ｒの詳細ついては後述する。
【００１５】
機械室６０の内部において、機械室６０の下面には、図５及び図８に示すように、ガスエンジン１１を支持するためのエンジン支持台４０が立設され、このエンジン支持台４０には、ゴム等の弾力性を有する部材を含んで構成された緩衝部材４１を介して、ガスエンジン１１が取り付けられている。この緩衝部材４１は、ガスエンジン１１の駆動時に発生する振動を吸収する機能を有している。
このガスエンジン１１は、冷却水によって冷却されるものであり、ガスエンジン１１を冷却する冷却水の冷却水路には、冷却水の放熱を行わせるためのラジエータ（図示せず）と、冷却水を循環させる冷却水ポンプ２３と、が設けられている。この冷却水ポンプ２３は、図３、図４及び図７に示すように、機械室右部６０Ｒの正面右側において、ガスエンジン１１に供給するオイルを貯留するオイルタンク２４の上方に設けられている。具体的には、図２及び図７に示すように、オイルタンク２４の上面に受けパン４２を載置，固定し、この受けパン４２の上方に、冷却水ポンプ２３が固定されている。このように、本実施形態では、冷却水ポンプ２３をオイルタンク２４の上方に配置することにより、オイルタンク２４の上方の空間を活用し、機械室６０内のスペースの有効活用を図ると共に、後述するインバータボックス１５を配置すべき空間が確保されている。
また、エンジン支持台４０に取り付けられたガスエンジン１１は、図５及び図８に示すように、機械室６０における幅方向及び上下方向の略中央に位置する構成となっており、機械室６０の内部において、後述の圧縮機１３、及び、発電機１２を、ガスエンジン１１の左右に効率よく配置することができるようになっている。
【００１６】
ガスエンジン１１から正面左方向へ略水平に突出した左駆動軸１１ａの先端には、図４、図５及び図８に示すように、エンジン側プーリ４３が設けられ、このエンジン側プーリ４３には、動力伝達用の伝達ベルト１６が取り付けられており、この伝達ベルト１６には、２台の圧縮機１３（図６も併せて参照）のそれぞれの従動軸の先端に設けられた圧縮機側プーリ４７が取り付けられている。これにより、ガスエンジン１１の回転動力が伝達ベルト１６を介して圧縮機１３へと伝達され、圧縮機１３が駆動される構成となっている。また、圧縮機１３は、クラッチ機構（不図示）を有し、このクラッチ機構を介して、ガスエンジン１１と連結されており、空調負荷に応じて、２台の圧縮機１３のうち片方を駆動したり、また、両方を駆動したりすることができる。この圧縮機１３は２台とも、図４及び図５に示すように、機械室左部６０Ｌにおいて、ガスエンジン１１の正面左部の下方に設けられている。
また、機械室右部６０Ｒにおいて、圧縮機１３の左方には、図６に示すように、冷凍サイクルを形成する冷媒配管に接続され、導入した冷媒を減圧して低温低圧の冷媒を生成する膨張弁４５が配置されている。さらに、図４及び図８に示すように、ガスエンジン１１のエンジン側プーリ４３の正面左方には、冷媒配管を流れる冷媒の流れを切り替えるための四方弁４６が配置されている。また、機械室右部６０Ｒには、膨張弁４５及び四方弁４６及の他、図６に示すように、リキッド弁５３、冷媒ガス閉鎖弁５４及びアンロード用のバイパス弁５２が設けられている。これら膨張弁４５、四方弁４６、バイパス弁５２、冷媒ガス閉鎖弁５４及びリキッド弁５３等の電動弁は、その作動が、後述する制御ボックス１４に収納された制御回路等の電子部品によって制御されるものである（これについては、詳細は後述。）。この他、機械室右部６０Ｒには、図６に示すように、アキュムレータ１７、オイルセパレータ１８、エアクリーナ１９（図８）、吸気ボックス２０、端子台２１（図８）ガスボックス４９等の機器が設けられている。
【００１７】
一方、機械室右部６０Ｒにおいて、ガスエンジン１１の右端部には、発電機１２が連結されている。この発電機１２は、ガスエンジン１１の駆動に応じて発電する機器であり、発電された電力は、後述するインバータボックス１５に収納された系統連系インバータ等のインバータ装置に出力され、このインバータ装置によって適切な周波数の電力に変換された後、負荷へ供給される。発電機１２には、発電機ガード１２ａが発電機１２を覆うように、取り付けられており、これによって発電機１２と、室外ユニット１に設けられた各装置とが接触することが防止される。また、機械室右部６０Ｒには、ガスエンジン１１の他、図７に示すように、排気マフラー２２や、中和装置５５等の機器が設けられている。
【００１８】
ところで、従来、機械室左部６０Ｌに設けられた圧縮機１３や、膨張弁４５、四方弁４６、バイパス弁５２、冷媒ガス閉鎖弁５４及びリキッド弁５３等の電動弁の制御を行うための制御回路等の電子部品を収容した制御ボックス１４は、熱交換室５０に設けられていた。これは、送風機８によって熱交換室５０に取り込まれる空気を利用して、制御ボックス１４の内部に収納された電子部品を空冷するためである。同様の理由により、発電機１２を制御するための電子部品や、発電機１２が発電した電力をＡＣ／ＤＣ変換し、出力するインバータ装置等を収納するインバータボックス１５も、熱交換室５０に設けられていた。しかしながら、この場合、制御部材である制御ボックス１４及びインバータボックス１５と、被制御部材である圧縮機１３、電動弁、及び、発電機１２との物理的な距離が離れてしまい、これら制御部材と被制御部材との間の配線が複雑化してしまう、という問題があった。また、例えば、制御ボックス１４と、圧縮機１３とを同時にメンテナンスしたいときに、熱交換室５０に設けられたパネルと、機械室６０に設けられたパネルとを同時に取り外す必要があり、作業が煩雑になり、メンテナンス性が悪い、という問題があった。
これを鑑み、本実施形態では、制御ボックス１４及びインバータボックス１５を室外ユニット１において以下のように配置することにより、メンテナンス性の向上を図っている。
【００１９】
すなわち、本実施形態では、図２及び図３に示すように、制御ボックス１４を、機械室６０の機械室左部６０Ｌの前面側において、圧縮機１３が配置された箇所の前方に配置している。これにより、制御ボックス１４と、この制御ボックス１４に制御される部材である圧縮機１３及び膨張弁４５、四方弁４６、バイパス弁５２、冷媒ガス閉鎖弁５４及びリキッド弁５３等の電動弁とが、同じ機械室左部６０Ｌに配置されることになり、制御ボックス１４と、これら機器との距離が縮まり、配線等が短縮化、単純化され、メンテナンス性の向上が図られている。
さらに、例えば、制御ボックス１４と、圧縮機１３を同時にメンテナンスする必要が生じた場合であっても、上述した制御ボックス側パネル４Ｌを取り外すことによって、制御ボックス１４、及び圧縮機１３を同時にアクセス可能に露出することができるため、熱交換室５０のパネルを取り外す必要がなく、作業の簡略化が図れ、メンテナンス性を向上することができる。
さらに、制御ボックス１４は、熱交換室５０という比較的高い箇所ではなく、機械室６０という比較的低い箇所に設けられていると共に、機械室６０の前面というアクセス容易な箇所に設けられている。このため、作業者等は、制御ボックス１４に簡単にアクセスすることができ、作業の効率化、容易化を図ることができ、ひいては、メンテナンス性の向上を図ることができる。
【００２０】
同様に、本実施形態では、図２及び図３に示すように、インバータボックス１５を、機械室６０の機械室右部６０Ｒの前面側において、発電機１２が配置された箇所の前方に配置している。これにより、インバータボックス１５と、このインバータボックス１５に制御される部材である発電機１２とが、同じ機械室右部６０Ｒに配置されることになり、インバータボックス１５と、発電機１２との距離が縮まり、配線等が短縮化、単純化され、メンテナンス性の向上が図られている。
さらに、例えば、インバータボックス１５と、発電機１２を同時にメンテナンスする必要が生じた場合であっても、上述したインバータボックス側パネル４Ｒを取り外すことによって、インバータボックス１５、及び発電機１２を同時にアクセス可能に露出することができるため、熱交換室５０のパネルを取り外す必要がなく、作業の簡略化が図れ、メンテナンス性を向上することができる。
さらに、インバータボックス１５は、熱交換室５０という比較的高い箇所ではなく、機械室６０という比較的低い箇所に設けられていると共に、機械室６０の前面というアクセス容易な箇所に設けられている。このため、作業者等は、インバータボックス１５に簡単にアクセスすることができ、作業の効率化、容易化を図ることができ、ひいては、メンテナンス性の向上を図ることができる。
【００２１】
ここで、制御ボックス１４及びインバータボックス１５は、共に、電子機器等の精密機器を収納しているため、比較的メンテナンスの回数が多い機器である。また、制御ボックス１４及びインバータボックス１５は、それぞれ、制御対象が異なるため、別々にメンテナンスが行われるものである。これを鑑み、本実施形態では、図１及び図２に示すように、機械室６０の前面を塞ぐ前面パネル４が、制御ボックス１４が配置された機械室左部６０Ｌの前面を塞ぐ制御ボックス側パネル４Ｌと、インバータボックス１５が配置された機械室右部６０Ｒの前面を塞ぐインバータボックス側パネル４Ｒと、に分割されている。これにより、例えば、制御ボックス１４のみのメンテナンスを行う場合、制御ボックス側パネル４Ｌのみ取り外し、制御ボックス１４をアクセス可能に露出することができる。このため、機械室６０の前面パネル４が分割されていない場合と比較し、容易に制御ボックス１４及びインバータボックス１５にアクセスすることができる。
【００２２】
また、本実施形態では、制御ボックス１４は、図２、図３及び図８に示すように、縦フレーム３ｂ（支柱）にその幅方向の位置が位置決めされた状態で、横フレーム３ａにねじを介して固定され、室外ユニット１に強固に取り付けられている。具体的には、図８に示すように、制御ボックス１４の右側面が、縦フレーム３ｂの左側面に当接し、これにより制御ボックス１４の幅方向における位置が位置決めされると共に、制御ボックス１４の上面にねじによって固定された連結部材５６が、横フレーム３ａにねじ止めされることにより、制御ボックス１４と横フレーム３ａとが連結部材５６を介して固定されている。
一方、インバータボックス１５は、図２、図３及び図８に示すように、横フレーム３ａのみならず、縦フレーム３ｂにねじを介して固定されることにより、室外ユニット１に強固に取り付けられている。具体的には、インバータボックス１５の上面には、第一連結部材５７がねじ止めされており、この第一連結部材５７に、横フレーム３ａがねじ止めされることにより、インバータボックス１５と横フレーム３ａとが第一連結部材５７を介して固定されている。さらに、インバータボックス１５の上面における縦フレーム３ｂの近傍には、図２、図３及び図８に示すように、第二連結部材５８がねじ止めによって固定され、この第二連結部材５８に、縦フレーム３ｂがねじ止めによって固定されることによりインバータボックス１５と縦フレーム３ｂとが第二連結部材５８を介して固定されている。
また、制御ボックス１４及びインバータボックス１５は、横フレーム３ａ及び縦フレーム３ｂに対するねじ止めを解除することにより、空気調和機本体２から容易に取り外すことができる。このため、例えば、制御ボックス１４及びインバータボックス１５の裏面側に配置されたガスエンジン１１のメンテナンス等もスムーズに行うことができる。
【００２３】
また、本実施形態では、機械室６０に設けた制御ボックス１４及びインバータボックス１５の内部の電子部品を冷却するために、以下の構成を有している。
図９は、インバータボックス１５を単体で示す斜視図である。
インバータボックス１５は、前面側が開口する箱形形状に形成された外箱２５を備えており、この外箱２５の内部の下側には、パワーＩＣを搭載した基板２６が配置されている。また、この基板２６の上側には、コンデンサー２７や、リレー２８などが配置されている。また、外箱２５の上面には、パワーＩＣなどの発熱体によって加熱された空気を排出するための換気孔２５ａが幅方向に間隔を開けて３つ形成されている。
このインバータボックス１５の前面側の開口は、外箱２５単体としては塞がれるようにはなっておらず、上述した室外ユニット１のインバータボックス側パネル４Ｒが室外ユニット１に取り付けられたときに、このインバータボックス側パネル４Ｒによって一緒に塞がれるようになっている。すなわち、インバータボックス側パネル４Ｒが、インバータボックス１５の前面及び室外ユニット１の前面を塞ぐ部材として兼用されている。
【００２４】
また、外箱２５の前側開口の縁部には、この縁部の全周に亘ってパッキン２９が貼り付けられている。このパッキン２９は弾性を有しており、例えばスポンジ状の素材や、ゴム材料などが使用される。このパッキン２９は、インバータボックス側パネル４Ｒを室外ユニット１に取り付けた状態において、インバータボックス側パネル４Ｒによって室外ユニット１の奥行き方向へ押圧されるようになる。このようにパッキン２９が押圧された状態では、外箱２５内の空気がパッキン２９によって気密に保たれることになる。
【００２５】
このインバータボックス１５の図８に示す前後方向の位置は、上述のようにパッキン２９がインバータボックス側パネル４Ｒによって押圧された状態となるように、パッキン２９の前側端部が室外ユニット１の前側端部（詳細には、インバータボックス側パネル４Ｒが取り付けられるフレーム３の前側端部）よりも前方に突出する態様で配置される。
また、インバータボックス１５の図２、図３及び図８に示す幅方向の位置は、取り付けられたインバータボックス１５を正面から見て、外箱２５の換気孔２５ａが、仕切り板５の右側の通気口６の下側に位置するように配置される。これにより、換気孔２５ａから出る空気が右側の通気口６を通って効率よく熱交換室５０へ流れるようにしている。
【００２６】
他方、制御ボックス１４についても、インバータボックス１５と同様な構造を有している。すなわち、この制御ボックス１４の外箱３０は、図２及び図３に示すように前面側が開口する箱形形状に形成されており、外箱３０の上面には、図８に示すように、空気を排出する換気孔３０ａが幅方向に間隔を開けて３つ形成されている。また、前側開口縁部には、インバータボックス１５と同様にパッキン２９が貼り付けられており、制御ボックス側パネル４Ｌを室外ユニット１に取り付けた状態において、制御ボックス側パネル４Ｌによって室外ユニット１の奥行き方向へ押圧されるようになっている。このようにパッキン２９が押圧された状態では、外箱３０内の空気がパッキン２９によって気密に保たれることになる。
【００２７】
この制御ボックス１４の図８に示す前後方向の位置は、上述のようにパッキン２９が制御ボックス側パネル４Ｌによって押圧されるように、パッキン２９の前側端部が室外ユニット１の前側端部（詳細には、制御ボックス側パネル４Ｌが取り付けられるフレーム３の前側端部）よりも前方に突出する態様で配置される。
また、制御ボックス１４の図２、図３及び図８に示す幅方向の位置は、取り付けられた制御ボックス１４を正面から見て、外箱３０の換気孔３０ａが、仕切り板５の左側の通気口６の下側になるように配置される。これにより、換気孔３０ａから出る空気が左側の通気口６を通って効率よく熱交換室５０へ流れるようにしている。
【００２８】
図１０（ａ）は、インバータボックス側パネル４Ｒを単体で示す正面図、（ｂ）はその背面図である。また、図１１は図１０（ａ）のＶＩＩ−ＶＩＩ線で切断した断面図である。
制御ボックス側パネル４Ｌには、図１０（ａ）に示すように、横長に形成された空気取り込み孔３１（開口部）が形成されている。この空気取り込み孔３１は、制御ボックス側パネル４Ｌを室外ユニット１に取り付けた状態で、インバータボックス１５の前側開口に対応する位置に形成されている。より詳細には、空気取り込み孔３１は、インバータボックス１５の前側開口の幅方向の長さとほぼ等しい長さに形成されており、この空気取り込み孔３１から取り込まれた室外空気が、インバータボックス１５の内部であってその幅方向の全域に亘って送流されるように形成されている。また、この空気取り込み孔３１は、インバータボックス１５の前面開口に対して下側の位置になるように形成されており、取り込まれた室外空気がインバータボックス１５の高さ方向における全域に亘って送流されるように配置されている。
【００２９】
このインバータボックス側パネル４Ｒの裏側（インバータボックス１５の内側に向く側）であって、空気取り込み孔３１の部分には、図１０（ｂ）及び図１１に示すように、導風板３２が設けられている。この導風板３２は、空気取り込み孔３１を裏側から覆い、この空気取り込み孔３１よりも上側に開口部３７を形成し、この空気取り込み孔３１から取り込んだ室外空気３４を開口部３７に導くと共に、この開口部３７から上側に向けて送流させるようになる（図１１に示す室外空気３４の矢印参照）。すなわち、この導風板３２を設けることにより、インバータボックス側パネル４Ｒの裏側面と導風板３２とで、上側が開口するポケット部３３が形成されることになり、このポケット部３３の上端が開口部３７となる。
【００３０】
このポケット部３３の上端である開口部３７は、空気取り込み孔３１の上端３１ａよりも上側に位置しており、空気取り込み孔３１から入り込む雨水が開口部３７からインバータボックス１５の内側に入り込まないようになっている。
また、このポケット部３３には、図１１に示すように、室外空気に含まれる水分を吸収するためのスポンジ３５（フィルタ）が設けられている。このスポンジ３５は、空気取り込み孔３１の上端３１ａよりも上側に配置され、空気取り込み孔３１からスポンジ３５が見えないようになっている。また、このスポンジ３５の下側部分は、導風板３２に形成された支持部３６によって支持されており、スポンジ３５が水分を含んで自重で下がらないようにしている。
【００３１】
他方、制御ボックス１４の前面を覆う制御ボックス側パネル４Ｌにも、制御ボックス１４の前面開口に対応する位置に空気取り込み孔３８が形成され、制御ボックス側パネル４Ｌの裏側にポケット部が形成されている。これらの構成はインバータボックス側パネル４Ｒと同じであり、詳細な説明は省略する。
【００３２】
以上説明したように、本実施の形態では、機械室６０の前面側であって、圧縮機１３の位置する機械室左部６０Ｌに、圧縮機１３を制御するための電子部品を収納した制御ボックス１４を配置すると共に、発電機１２の位置する機械室右部６０Ｒに、発電機１２を制御するための電子部品を収納したインバータボックス１５を配置している。このため、制御ボックス１４と、この制御ボックス１４に制御される圧縮機１３及び膨張弁４５、四方弁４６、バイパス弁５２、冷媒ガス閉鎖弁５４及びリキッド弁５３等の電動弁との距離が縮まり、配線等が短縮化、単純化され、メンテナンス性の向上が図られる。同様に、インバータボックス１５と、このインバータボックス１５に制御される発電機１２との距離が縮まり、配線等が短縮化、単純化され、メンテナンス性の向上が図られている。
また、例えば、制御ボックス１４と、圧縮機１３を同時にメンテナンスする必要が生じた場合であっても、上述した制御ボックス側パネル４Ｌを取り外すことによって、制御ボックス１４、及び圧縮機１３を同時にアクセス可能に露出することができるため、熱交換室５０のパネルを取り外す必要がなく、作業の簡略化が図れ、メンテナンス性を向上することができる。
また、本実施の形態によれば、機械室６０の前面を塞ぐ前面パネル４を、制御ボックス１４の位置する機械室左部６０Ｌの前方を塞ぐための制御ボックス側パネル４Ｌと、インバータボックス１５の位置する機械室右部６０Ｒの前方を塞ぐためのインバータボックス側パネル４Ｒと、に分割している。
このため、例えば、制御ボックス１４のみのメンテナンスを行う場合、制御ボックス側パネル４Ｌのみ取り外し、制御ボックス１４をアクセス可能に露出することができる。これにより、機械室６０の前面パネル４が分割されていない場合と比較し、容易に制御ボックス１４及びインバータボックス１５にアクセスすることができる。
【００３３】
また、本実施の形態によれば、インバータボックス側パネル４Ｒに空気取り込み孔３８を形成し、この空気取り込み孔３８から取り込んだ室外空気をインバータボックス１５の内部に送流させることができ、インバータボックス１５内部を効率的に冷却することができる。
また、空気取り込み孔３８をインバータボックス１５の幅方向に亘って形成し、このインバータボックス１５の前部開口の下側に対応する位置に配置することにより、インバータボックス１５の内部の全体に亘って効率的に冷却することができる。
【００３４】
また、インバータボックス１５の上面に換気孔２５ａを設け、この換気孔２５ａの上側に、仕切り板５の通気口６を設けているので、インバータボックス１５を送流して換気孔２５ａから出る空気を通気口６を介して熱交換室５０へ送ることができるので、換気孔２５ａから出る空気が機械室６０内で滞留しない。そのため、インバータボックス１５の内部を効率的に冷却することができる。
【００３５】
さらに、空気取り込み孔３８にポケット部３３を設け、このポケット部３３にスポンジ３５を設け、空気取り込み孔３８から入り込む室外空気の水分をこのスポンジ３５で吸収することができるので、インバータボックス１５の内部に雨水等の水分が入り込まないようにすることができる。その結果、インバータボックス１５内部の部品に水がかかり難くなり、各部品の寿命が短くなるのを防止することができる。
【００３６】
さらに、インバータボックス１５が機械室６０の手前側に配置されているので、熱交換室５０に設けられたパネルをとりはずさなくてもインバータボックス側パネル４Ｒを取り外すだけで、インバータボックス１５及びこれに接続された発電機１２やガスエンジン１１などを一緒にメンテナンスすることができる。そのため、メンテナンス作業を容易に行うことができる。
【００３７】
また、インバータボックス１５の前側開口縁部にパッキン２９を取り付け、インバータボックス側パネル４Ｒを閉じたときに、このインバータボックス側パネル４Ｒがパッキン２９を押圧しながらインバータボックス１５の前部開口を覆うようにしているので、インバータボックス１５の前部開口を塞ぐパネルを、室外ユニット１の前側を塞ぐインバータボックス側パネル４Ｒによって兼用することができる。これにより、インバータボックス側パネル４Ｒを取り外すだけでインバータボックス１５の内部をそのままメンテナンスすることができるので、メンテナンス作業が容易になる。また、インバータボックス１５の前部開口を塞ぐパネルを設けない分だけ製造コストを低減させることができる。
【００３８】
以上、本発明を実施するための最良の形態について述べたが、本発明は既述の実施形態に限定されるものではなく、本発明の技術思想に基づいて各種の変形および変更が可能である。
例えば、本実施形態では、ガスエンジン１１の前方右側に、圧縮機１３を配置し、前方左側に、発電機１２を配置した場合について説明したが、これとは逆に、ガスエンジン１１の前方左側に圧縮機１３を配置し、前方右側に発電機１２を配置する構成であってもよい。
【図面の簡単な説明】
【００３９】
【図１】本実施形態に係る室外ユニット（空気調和機）の正面図である。
【図２】パネルを外した状態の室外ユニットの斜視図である。
【図３】パネルを外した状態の室外ユニットの正面図である。
【図４】制御ボックスを取り外した状態の室外ユニットの正面図である。
【図５】室外ユニットの背面図である。
【図６】室外ユニットの左側面図である。
【図７】室外ユニットの右側面図である。
【図８】室外ユニットの機械室を上から見た図である。
【図９】インバータボックスの斜視図である。
【図１０】（ａ）は、インバータボックス側パネルの正面図、（ｂ）は、インバータボックス側パネルの背面図である。
【図１１】図１０（ａ）のＶＩＩ−ＶＩＩ断面図である。
【符号の説明】
【００４０】
１  室外ユニット（空気調和機）
２  空気調和機本体
３ｂ  縦フレーム（支柱）
４  前面パネル
４Ｌ  制御ボックス側パネル
４Ｒ  インバータボックス側パネル
９  熱交換器
１１  ガスエンジン
１２  発電機
１３  圧縮機
１４  制御ボックス
１５  インバータボックス
４５  膨張弁
４６  四方弁
５０  熱交換室
５２  バイパス弁
５３  リキッド弁
５４  冷媒ガス閉鎖弁
６０  機械室
６０Ｌ  機械室左部
６０Ｒ  機械室右部
【図１】
0005097486.tif 000002
【図２】
0005097486.tif 000003
【図３】
0005097486.tif 000004
【図４】
0005097486.tif 000005
【図５】
0005097486.tif 000006
【図６】
0005097486.tif 000007
【図７】
0005097486.tif 000008
【図８】
0005097486.tif 000009
【図９】
0005097486.tif 000010
【図１０】
0005097486.tif 000011
【図１１】
0005097486.tif 000012